(57)【要約】【課題】先端側厚肉部を有するブレードを備えた金型であり、不具合を生じることなく型抜きが円滑に行われる加硫成形用金型および空気入りタイヤを供する。【解決手段】ブレード6,7が、ブレード基端部6a,7aと、先端側の板厚方向に拡大したブレード先端側厚肉部6c,7cと、ブレード基端部とブレード先端側厚肉部6c,7cとを連結するブレード連結部6b,7bとからなる加硫成形用金型1において、ブレード6,7のセクターモールド3から突出するブレード連結部6b,7bの突出辺6bs,7bsの全長は、セクターモールド3の周方向中央部側領域Cのブレード6より周方向端部側領域Eのブレード7の方が短い。  また、該加硫成形用金型1を用いて製造した空気入りタイヤ20である。【選択図】図４
2020100002.tif 000002
【特許請求の範囲】
【請求項１】
空気入りタイヤのタイヤトレッドを形成する環状金型が、周方向に複数のセクターモールドに分割され、各セクターモールドが中心方向に移動して合体することで内側の生タイヤを型締めし加硫成形する加硫成形用金型であって、
前記セクターモールドには、型面にタイヤ幅方向に延びる薄板状部材であってタイヤトレッドに溝条を形成するブレードが植設され、
前記ブレードが、前記セクターモールドに埋め込まれるブレード基端部と、先端側の板厚方向に拡大したブレード先端側厚肉部と、前記ブレード基端部と前記ブレード先端側厚肉部とを連結するブレード連結部とからなる加硫成形用金型において、
前記ブレードの前記セクターモールドから突出する前記ブレード連結部の突出辺の全長は、前記セクターモールドの周方向中央部側領域の前記ブレードより周方向端部側領域の前記ブレードの方が、短いことを特徴とする加硫成形用金型。
【請求項２】
前記ブレードのタイヤ幅方向に垂直な断面形状で、前記ブレード先端側厚肉部の厚みの最大幅の幅で前記ブレード先端側厚肉部から型面までの面積から前記ブレード連結部の断面積を減算した掃き面積を、前記ブレード連結部の突出辺の全長に乗算した乗算値は、前記セクターモールドの周方向中央部側領域の前記ブレードより周方両端部側領域の前記ブレードの方が、小さいことを特徴とする請求項１に記載の加硫成形用金型。
【請求項３】
請求項１または請求項２に記載の加硫成形用金型を用いて製造したことを特徴とする空気入りタイヤ。
【発明の詳細な説明】
【技術分野】
【０００１】
本発明は、タイヤトレッドに幅方向溝を形成する加硫成形用金型および同金型により製造された空気入りタイヤに関する。
【背景技術】
【０００２】
タイヤトレッドにタイヤ幅方向に延設されるサイプ等の幅方向溝は、エッヂ効果を期待できるとともに排水性に寄与するものである。
しかし、走行によりトレッド表面の摩耗が進んだ場合、トレッド部の剛性が増し、エッヂ効果が低下したり、溝深さが浅くなるにつれて排水性が劣ってウェット性能が低下することがある。
【０００３】
そこで、タイヤトレッドの幅方向溝の底部の幅を拡大することで、トレッド表面の摩耗が進んだ場合でも、エッヂ効果およびウェット性能を維持することができるようにした例（例えば、特許文献１参照）がある。
【先行技術文献】
【特許文献】
【０００４】
【特許文献１】特開２０１３−１２９３２７号公報
【特許文献２】特開２００６−３３４８７２号公報
【０００５】
特許文献１に開示された空気入りタイヤは、タイヤトレッドの主溝と横溝により区画されたブロックにタイヤ幅方向に複数のサイプが延設されている。
サイプの中には、底部に拡大部を有する底部拡大サイプが含まれており、底部拡大サイプは、タイヤトレッドの外周面に周方向に偏ることなく略均等に設けられている。
【０００６】
通常、空気入りタイヤのトレッド部は、加硫成形用金型の環状金型により加硫成形される。
環状金型は、周方向に複数のセクターモールドに分割され、各セクターモールドが中心方向に移動して合体することで、内側の生タイヤを型締めし加硫成形する（例えば、特許文献２参照）。
【０００７】
セクターモールドの型面には、サイプ等を形成するタイヤ幅方向に延びる薄板状部材であるブレードが植設されている。
サイプは、トレッド外周面に対して垂直に、すなわちタイヤ中心軸に向かって切り込まれるように形成されるので、セクターモールドの型面に設けられるブレードは、型面に対して垂直に、すなわち環状に合体したときに中心軸に向かって突出するように植設されている。
底部拡大サイプを形成するブレードは、先端側に板厚方向に拡大した先端側厚肉部を有する。
【発明の概要】
【発明が解決しようとする課題】
【０００８】
各セクターモールドは中心方向に移動して環状に合体して加硫成形するので、加硫成形した後に、型開きするときは、各セクターモールドは中心から離れる放射方向に移動する。
【０００９】
したがって、セクターモールドの型面に垂直に突出されたブレードの突出方向は、セクターモールドの周方向中央部側領域では、型開き時のタイヤトレッドから引き抜かれる方向（セクターモールドの中心から離れる放射方向）と略平行であり、先端側厚肉部を有するブレードであっても先端側厚肉部が突出方向と略平行に抜けるので、抵抗が小さく型抜きし易い。
【００１０】
しかし、セクターモールドの周方向端部側領域のブレードは、その突出方向が型開き時のタイヤトレッドから引き抜かれる方向に対して平行でなく、ある程度角度を有するので、先端側厚肉部を有するブレードは、先端側厚肉部が突出方向と角度を有する方向に引き抜かれようとするため、比較的大きい抵抗があり型抜きが容易でなく、場合によってはブロックの一部が欠損したり、ブレードが破損するなどの不具合が生じ易い。
【００１１】
本発明は、かかる点に鑑みなされたもので、その目的とする処は、先端側厚肉部を有するブレードを備えた金型であり、不具合を生じることなく型抜きが円滑に行われる加硫成形用金型および該加硫成形用金型を用いて製造した空気入りタイヤを供する点にある。
【課題を解決するための手段】
【００１２】
上記目的を達成するために、本第１の発明は、
空気入りタイヤのタイヤトレッドを形成する環状金型が、周方向に複数のセクターモールドに分割され、各セクターモールドが中心方向に移動して合体することで内側の生タイヤを型締めし加硫成形する加硫成形用金型であって、
前記セクターモールドには、型面にタイヤ幅方向に延びる薄板状部材であってタイヤトレッドに溝条を形成するブレードが植設され、
前記ブレードが、前記セクターモールドに埋め込まれるブレード基端部と、先端側の板厚方向に拡大したブレード先端側厚肉部と、前記ブレード基端部と前記ブレード先端側厚肉部とを連結するブレード連結部とからなる加硫成形用金型において、
前記ブレードの前記セクターモールドから突出する前記ブレード連結部の突出辺の全長は、前記セクターモールドの周方向中央部側領域の前記ブレードより周方向端部側領域の前記ブレードの方が、短いことを特徴とする加硫成形用金型を提供する。
【００１３】
ブレードのセクターモールドから突出するブレード連結部の突出辺（型面から突出する辺）の全長は、型抜きの難易度を示し、ブレード連結部の突出辺の全長が短いほど型抜き時の抵抗が小さく型抜きが容易である。
上記構成によれば、セクターモールドの周方向中央部側領域のブレードより型抜きが容易でない周方向端部側領域のブレードのブレード連結部の突出辺の全長を、周方向中央部側領域のブレードのブレード連結部の突出辺の全長より短くすることで、加硫成形用金型の型開き時にセクターモールド全体の型抜けを、不具合を生じさせることなく円滑に行うことができる。
【００１４】
本発明の好適な実施形態では、
前記ブレードのタイヤ幅方向に垂直な断面形状で、前記ブレード先端側厚肉部の厚みの最大幅の幅で前記ブレード先端側厚肉部から型面までの面積から前記ブレード連結部の断面積を減算した掃き面積を、前記ブレード連結部の突出辺の全長に乗算した乗算値は、前記セクターモールドの周方向中央部側領域の前記ブレードより周方両端部側領域の前記ブレードの方が、小さい加硫成形用金型である。
【００１５】
ブレードのタイヤ幅方向に垂直な断面形状で、ブレード先端側厚肉部の厚みの最大幅の幅でブレード先端側厚肉部から型面までの面積からブレード連結部の断面積を減算した掃き面積は、型抜きの難易度を示し、掃き面積が小さいほど型抜きが容易である。
よって、この掃き面積をブレード連結部の突出辺の全長に乗算した乗算値は、型抜きの難易度を示し、該乗算値が小さいほど型抜きが容易である。
【００１６】
上記構成によれば、セクターモールドの中央部側領域のブレードより型抜きが容易でない周方向端部側領域の掃き面積とブレード連結部の突出辺の全長の乗算値を、中央部側領域の掃き面積とブレード連結部の突出辺の全長の乗算値より小さくすることで、加硫成形用金型の型開き時にセクターモールド全体の型抜けを、不具合を生じさせることなく円滑に行うことができる。
【００１７】
本第２の発明は、前記加硫成形用金型を用いて製造した空気入りタイヤである。
【００１８】
この構成によれば、加硫成形用金型を用いて製造した空気入りタイヤは、型開き時の型抜けを円滑にし、ブロックの一部の欠損などの型抜け不良を生じさせることがなく、生産効率を上げることができる。
【発明の効果】
【００１９】
本発明は、セクターモールドの周方向中央部側領域のブレードより型抜きが容易でない周方向端部側領域のブレードのブレード連結部の突出辺の全長を、周方向中央部側領域のブレードのブレード連結部の突出辺の全長より短くすることで、加硫成形用金型の型開き時にセクターモールド全体の型抜けを、不具合を生じさせることなく円滑に行うことができる。
【図面の簡単な説明】
【００２０】
【図１】本発明の一実施の形態に係る加硫成形用金型の全体概略図である。
【図２】同加硫成形用金型の１セクターの斜視図である。
【図３】セクターモールドにより成形されるタイヤトレッドのトレッド面の展開図である。
【図４】同加硫成形用金型のセクターモールドのタイヤ幅方向に垂直な断面図である。
【図５】周方向中央部側領域Ｃのブレードの拡大断面図である。
【図６】周方向端部側領域Ｅのブレードの拡大断面図である。
【図７】別の実施の形態に係る加硫成形用金型のセクターモールドのタイヤ幅方向に垂直な断面図である。
【図８】周方向中央部側領域Ｃのブレードの拡大断面図である。
【図９】周方向端部側領域Ｅのブレードの拡大断面図である。
【発明を実施するための形態】
【００２１】
以下、本発明に係る一実施の形態について図１ないし図６に基づいて説明する。
本実施の形態に係るタイヤの加硫成形用金型１は、図１に示すように周方向に複数のセクターに分割され（本実施の形態では９分割）、各セクターのホルダー２が内周側にタイヤのトレッド部を成形するセクターモールド３を保持している。
【００２２】
ホルダー２に保持されるセクターモールド３自体が、複数の分割モールド４を組み合わせて構成される割りモールド式金型であり、各ホルダー２が周方向に分割された複数の分割モールド４を保持してセクターモールド３を構成する。
【００２３】
各ホルダー２は、径方向に摺動可能で、全ホルダー２が遠心方向に一斉に摺動することで、加硫成形用金型１は大径同心円に開き、内側中心に生タイヤをセットすることができる。
【００２４】
そして、全ホルダー２が中心方向に一斉に摺動することで、生タイヤを内側に納めて、図１に示すように、タイヤ加硫金型１は閉じて円環状の金型が構成され、内側の生タイヤの加硫成形がなされる。
【００２５】
図２は、１セクターのホルダー２とこれに保持される複数の分割モールド４の斜視図である。
分割モールド４の型面４ｆにはタイヤ周方向に延びる周方向突条５が突出されていて、分割モールド４が組み合されたセクターモールド３には周方向溝を形成する連続した周方向突条５がタイヤ幅方向に５本平行に形成されている。
【００２６】
そして、セクターモールド３の型面４ｆには、隣合う周方向突条５，５間に薄板状部材であるブレード６，７がタイヤ幅方向に若干傾いて延びて植設されている。
複数のブレード６，７は、タイヤ周方向に略均等に互いに平行に配列されている。
【００２７】
図３は、製造された空気入りタイヤ20のセクターモールド３により成形されるタイヤトレッド21のトレッド面の展開図である。
タイヤ周方向にタイヤ周方向溝25が、セクターモールド３の周方向突条５によりタイヤ幅方向に５本配列されて形成される。
【００２８】
隣合うタイヤ周方向溝25，25間の陸部には、タイヤ周方向溝25，25を連通するように幅方向溝であるサイプ26，27が、セクターモールド３のブレード６，７により形成される。
【００２９】
図４は、セクターモールド３のタイヤ幅方向に垂直な断面図である。
同図４を参照して、周方向中央部側領域Ｃのブレード６と周方向端部側領域Ｅのブレード７は、型面４ｆから垂直に突出しているが、互いに形状が異なる。
なお、周方向中央部側領域Ｃは、セクターモールド３の周方向全領域幅の５０％程度の領域幅を有し、該周方向中央部側領域Ｃの両側が周方向端部側領域Ｅである。
【００３０】
型開きするときは、セクターモールド３は中心から離れる放射方向Ｒに移動する。
すなわち、放射方向Ｒは、型開き時にブレード６，７がタイヤトレッド21から引き抜かれる方向である。
【００３１】
周方向中央部側領域Ｃの型面４ｆに垂直に突出されたブレード６は、その突出方向が型開き時のタイヤトレッドから引き抜かれる方向Ｒと略平行であり、ブレード先端側厚肉部６ｃを有するブレード６であってもブレード先端側厚肉部６ｃが突出方向と平行に抜けるので、抵抗が小さく型抜きし易い。
【００３２】
しかし、セクターモールド３の周方向端部側領域Ｅのブレード７は、その突出方向が型開き時のタイヤトレッドから引き抜かれる方向Ｒに対して平行でなく、ある程度角度を有するので、ブレード先端側厚肉部７ｃを有するブレード７は、ブレード先端側厚肉部７ｃが突出方向と角度を有する方向Ｒに引き抜かれようとするので、比較的大きい抵抗があり、周方向中央部側領域Ｃのブレード６に比べて型抜きが容易でない。
【００３３】
そこで、周方向中央部側領域Ｃのブレード６と周方向端部側領域Ｅのブレード７は、互いに形状を異にしている。
周方向中央部側領域Ｃのブレード６の拡大断面図を図５に示す。
ブレード６は、セクターモールド３に埋め込まれるブレード基端部６ａと、先端側の板厚方向に拡大したブレード先端側厚肉部６ｃと、ブレード基端部６ａとブレード先端側厚肉部６ｃとを連結するブレード連結部６ｂとからなる。
【００３４】
ブレード基端部６ａとブレード連結部６ｂは、一定の板厚の薄板状をなし、ブレード基端部６ａは断面が直線状をなしているが、ブレード連結部６ｂは断面がジグザグ状に屈曲している。
【００３５】
ブレード連結部６ｂの図５に示す断面形状は、セクターモールド３から突出するブレード連結部６ｂの突出辺６bsと同じ形状であるので、図５に示されるブレード連結部６ｂの断面に突出辺の符号６bsを付しておく。
以下、ブレードの断面図には、ブレード連結部の断面に突出辺の符号を付す。
【００３６】
ブレード連結部６ｂの断面のジグザグ状に屈曲した長さ（薄板状のブレード連結部６ｂの型面４ｆから突出する突出辺６bsの長さの総和、図５に示される破線の長さ）が、ブレード連結部６ｂの突出辺６bsの全長Ｌｃである。
このブレード連結部６ｂの突出辺６bsの全長Ｌｃは、屈曲している分、型面４ｆからの突出距離より長い。
【００３７】
ブレード連結部６ｂの突出辺６bsの全長Ｌｃは、タイヤトレッド21に埋設され、型開き時にブレード連結部６ｂを抜き取るときに抵抗となる長さであり、型抜きの難易度を示し、ブレード連結部６ｂの突出辺６bsの全長Ｌｃが短いほど型抜きが容易である。
【００３８】
ブレード先端側厚肉部６ｃは、図５に示す断面形状が円形をしており、その円形の直径はブレード先端側厚肉部６ｃの板厚方向に拡大した厚みＷｃである。
図５に示す断面図で、ブレード先端側厚肉部６ｃの厚みの最大幅Wｃの幅でブレード先端側厚肉部６ｃから型面４ｆまでの面積からブレード連結部６ｂの断面積を減算した掃き面積（図５で散点模様を施した部分の面積）をＳｃとする。
【００３９】
周方向端部側領域Ｅのブレード７の拡大断面図を図６に示す。
ブレード７は、セクターモールド３に埋め込まれるブレード基端部７ａと、先端側の板厚方向に拡大したブレード先端側厚肉部７ｃと、ブレード基端部７ａとブレード先端側厚肉部７ｃとを連結するブレード連結部７ｂとからなる。
【００４０】
ブレード基端部７ａとブレード連結部７ｂは、一定の板厚の薄板状をなし、断面が直線状をなしており、ブレード連結部７ｂの突出辺７bsの全長（図６に示される破線の長さ）はＬｅである。
ブレード先端側厚肉部７ｃは、図６に示す断面形状が長円形をしており、その板厚方向に拡大した厚みはＷｅである。
【００４１】
図６に示す断面図で、ブレード先端側厚肉部７ｃの厚みの最大幅Ｗｅの幅でブレード先端側厚肉部７ｃから型面４ｆまでの面積からブレード連結部７ｂの断面積を減算した掃き面積（図６で散点模様を施した部分の面積）をＳeとする。
【００４２】
図５と図６を参照して、セクターモールド３の周方向中央部側領域Ｃのブレード６と周方向端部側領域Ｅのブレード７を比較すると、周方向中央部側領域Ｃのブレード６の掃き面積Ｓｃと周方向端部側領域Ｅのブレード７の掃き面積Ｓｅは、略同じである。
【００４３】
しかし、周方向中央部側領域Ｃのブレード６のブレード連結部６ｂのジグザグ状の突出辺６bsの全長Ｌｃより周方向端部側領域Ｅのブレード７のブレード基端部７ａの突出辺７bsの全長Ｌｅの方が短い（Ｌｅ＜Ｌｃ）。
【００４４】
セクターモールド３の中央部側領域のブレード６より型抜きが容易でない周方向端部側領域のブレード７のブレード基端部７ａの突出辺７bsの全長Ｌｅを、周方向中央部側領域のブレード６のブレード連結部６ｂの突出辺６bsの全長Ｌｃより短くすることで、加硫成形用金型の型開き時にセクターモールド全体の型抜けを、不具合を生じさせることなく円滑に行うことができる。
【００４５】
加硫成形用金型１を用いて製造した空気入りタイヤ20は、型開き時の型抜けを円滑にし、ブロックの一部の欠損などの型抜け不良を生じさせることがなく、生産効率を上げることができる。
【００４６】
次に、別の実施の形態に係る加硫成形用金型について図７ないし図９に基づいて説明する。
本加硫成形用金型のセクターモールドは、前記セクターモールド３と同じ構造のものであり、分割モールドおよび周方向突条とともに同じ符号を用いる。
同様に、空気入りタイヤおよびタイヤトレッドも同じ符号を用いる。
【００４７】
そして、セクターモールド３の型面４ｆには、隣合う周方向突条５，５間に薄板状部材であるブレード８，９がタイヤ幅方向に若干傾いて延びて植設されている。
【００４８】
図７は、本加硫成形用金型のセクターモールド３のタイヤ幅方向に垂直な断面図である。
同図７を参照して、周方向中央部側領域Ｃのブレード８と周方向端部側領域Ｅのブレード９は、型面４ｆから垂直に突出している。
型開き時にブレード８，９は、セクターモールド３が中心から離れる放射方向Ｒにタイヤトレッド21から引き抜かれる。
【００４９】
前記したように、セクターモールド３の周方向端部側領域Ｅのブレード９は、その突出方向が型開き時のタイヤトレッドから引き抜かれる方向Ｒに対して平行でなく、ある程度角度を有するので、ブレード先端側厚肉部９ｃを有するブレード９は、ブレード先端側厚肉部９ｃが突出方向と角度を有する方向Ｒに引き抜かれようとするので、比較的大きい抵抗があり、周方向中央部側領域Ｃのブレード８に比べて型抜きが容易でない。
【００５０】
そこで、周方向中央部側領域Ｃのブレード８と周方向端部側領域Ｅのブレード９は、互いに形状を異にしている。
周方向中央部側領域Ｃのブレード８の拡大断面図を図８に示す。
ブレード８は、セクターモールド３に埋め込まれるブレード基端部８ａと、先端側の板厚方向に拡大したブレード先端側厚肉部８ｃと、ブレード基端部８ａとブレード先端側厚肉部８ｃとを連結するブレード連結部８ｂとからなる。
【００５１】
ブレード基端部８ａとブレード連結部８ｂは、一定の板厚の薄板状をなし、ブレード基端部８ａは断面が直線状をなしているが、ブレード連結部８ｂは断面がジグザグ状に屈曲している。
【００５２】
周方向中央部側領域Ｃのブレード８のジグザグ状に屈曲したブレード連結部８ｂの突出辺８bsの全長がＬｃである。
このブレード連結部８ｂの突出辺８bsの全長Ｌｃは、屈曲している分、型面４ｆからの突出距離より長い。
【００５３】
ブレード先端側厚肉部８ｃは、図８に示す断面形状が円形をしており、その板厚方向に拡大した厚みはＷｃである。
図８に示す断面図で、ブレード先端側厚肉部８ｃの厚みの最大幅Ｗｃの幅でブレード先端側厚肉部８ｃから型面４ｆまでの面積からブレード連結部８ｂの断面積を減算した掃き面積（図８で散点模様を施した部分の面積）をＳｃとする。
【００５４】
周方向端部側領域Ｅのブレード９の拡大断面図を図９に示す。
ブレード９は、セクターモールド３に埋め込まれるブレード基端部９ａと、先端側の板厚方向に拡大したブレード先端側厚肉部９ｃと、ブレード基端部９ａとブレード先端側厚肉部９ｃとを連結するブレード連結部９ｂとからなる。
【００５５】
ブレード基端部９ａとブレード連結部９ｂは、一定の板厚の薄板状をなし、断面が直線状をなしている。
このブレード連結部９ｂの突出辺９bsの全長（薄板状のブレード連結部９ｂの型面４ｆから突出する辺の長さ、図９に示される破線の長さ）は、Ｌｅである。
【００５６】
ブレード先端側厚肉部９ｃは、図９に示す断面形状が円形をしており、その円形の直径はブレード先端側厚肉部９ｃの板厚方向に拡大した厚みＷｅである。
図９に示す断面図で、ブレード先端側厚肉部９ｃの厚みの最大幅Ｗｅの幅でブレード先端側厚肉部９ｃから型面４ｆまでの面積からブレード連結部９ｂの断面積を減算した掃き面積（図５で散点模様を施した部分の面積）をＳｅとする。
【００５７】
前記したように、掃き面積Ｓｅは、型開き時にタイヤトレッド21に埋設されているブレード先端側厚肉部９ｃとブレード連結部９ｂを抜き取るときに抵抗となる面積であり、型抜きの難易度を示し、掃き面積Ｓｅが小さいほど型抜きが容易である。
【００５８】
図８と図９を参照して、周方向中央部側領域Ｃのブレード８と周方向端部側領域Ｅのブレード９を比較すると、周方向中央部側領域Ｃのブレード８のブレード連結部８ｂの突出辺８bsの全長Ｌｃより周方向端部側領域Ｅのブレード９のブレード連結部９ｂの突出辺９bsの全長Ｌｅの方が短いが、ブレード９の掃き面積Ｓｅは、ブレード８の掃き面積Ｓｃより大きく、型抜きが容易でない。
【００５９】
そこで、本実施の形態では、ブレード連結部の突出辺の全長だけでなく別の型抜きの難易度を示す掃き面積も考慮して設計し、セクターモールド全体の型抜けを容易にするものである。
【００６０】
すなわち、周方向中央部側領域Ｃのブレード８のブレード連結部８ｂの突出辺８bsの全長Ｌｃにブレード８の掃き面積Ｓｃを乗算した乗算値Ｍｃ（＝Ｌｃ×Ｓｃ）と、周方向端部側領域Ｅのブレード９のブレード連結部９ｂの突出辺９bsの全長Ｌｅにブレード９の掃き面積Ｓｅを乗算した乗算値Ｍｅ（＝Ｌｅ×Ｓｅ）とを比較して、周方向中央部側領域Ｃのブレード８の乗算値Ｍｃよりも周方向端部側領域Ｅのブレード９の乗算値Ｍｅを小さくしている（Ｍｅ＜Ｍｃ）。
【００６１】
ブレードのブレード連結部の突出辺の全長とブレードの掃き面積とを乗算した乗算値は、小さいほど型抜きが容易である。
したがって、セクターモールド３の周方向中央部側領域Ｃのブレード８より型抜きが容易でない周方向端部側領域Ｅのブレード９の乗算値Ｍｅ（＝Ｌｅ×Ｓｅ）を、周方向中央部側領域Ｃのブレード８の乗算値Ｍｃ（＝Ｌｃ×Ｓｃ）より小さくすることで、加硫成形用金型の型開き時にセクターモールド全体の型抜けを、不具合を生じさせることなく円滑に行うことができる。
【００６２】
本実施の形態の加硫成形用金型を用いて製造した空気入りタイヤ20は、型開き時の型抜けを円滑にし、ブロックの一部の欠損などの型抜け不良を生じさせることがなく、生産効率を上げることができる。
【００６３】
以上、本発明に係る２つの実施の形態に係る加硫成形用金型について説明したが、本発明の態様は、上記実施の形態に限定されず、本発明の要旨の範囲で、多様な態様で実施されるものを含むものである。
【００６４】
例えば、本発明のブレードの形状は、実施形態に開示されたブレードに限らず種々のものが考えられるが、請求項１の要件を備えるブレードであればよい。
特に、ブレード先端側厚肉部の断面形状が円形や長円形に限らず、フラスコ形である三角形状、その他多角形状等、種々の形状が考えられる。
なお、ブレード先端側厚肉部は、ブレードの先端側にある厚肉部であり、ブレードの先端にあるとは限らず、厚肉部から径方向内側に向かって厚みが減少するような形状のものでもよい。
【００６５】
また、セクターモールドの型面に植設されるブレードの前記ブレード連結部の突出辺の全長または前記乗算値が、周方向中央部のブレードから周方向端部側のブレードにいくに従って、徐々に小さくなるようにしてもよい。
さらに、ブレードにより形成される溝は、幅狭の細溝であるサイプに限らずタイヤ幅方向に延びる多少幅広の幅方向溝も含む。
さらにまた、前記実施形態では、周方向突条が５本であったが、周方向突条は５本に限らず、５本より少なくても、また多くてもよい。
【符号の説明】
【００６６】
１…加硫成形用金型、２…ホルダー、３…セクターモールド、４…分割モールド、４ｆ…型面、５…周方向突条、
６…ブレード、６ａ…ブレード基端部、６ｂ…ブレード連結部、６bs…突出辺、６ｃ…ブレード先端側厚肉部、
７…ブレード、７ａ…ブレード基端部、７ｂ…ブレード連結部、７bs…突出辺、７ｃ…ブレード先端側厚肉部、
８…ブレード、８ａ…ブレード基端部、８ｂ…ブレード連結部、８bs…突出辺、８ｃ…ブレード先端側厚肉部、
９…ブレード、９ａ…ブレード基端部、９ｂ…ブレード連結部、９bs…突出辺、９ｃ…ブレード先端側厚肉部、
20…空気入りタイヤ、21…タイヤトレッド、25…タイヤ周方向溝、26…サイプ、27…サイプ、
Ｃ…周方向中央部側領域、Ｅ…周方向端部側領域、
Ｓｃ，Ｓｅ…掃き面積、Ｌｃ，Ｌｅ…ブレード連結部の突出辺の全長。
【図１】
2020100002.tif 000003
【図２】
2020100002.tif 000004
【図３】
2020100002.tif 000005
【図４】
2020100002.tif 000006
【図５】
2020100002.tif 000007
【図６】
2020100002.tif 000008
【図７】
2020100002.tif 000009
【図８】
2020100002.tif 000010
【図９】
2020100002.tif 000011